(57)【特許請求の範囲】
【請求項１】
左右方向に延び互いに連結されている複数のスラットが上下方向に配列してなり構造物に形成されている開口部の上部に取り付けられるシャッターカーテンと、少なくとも一部の該スラットを枢支して連結するリンク部材と、該開口部を閉じるカーテン閉位置と該開口部を開くカーテン開位置との間で該シャッターカーテンを上下動させる開閉手段と、該開口部に固定され該シャッターカーテンの左右方向の少なくとも一方の端部をスライド可能に保持するガイド枠と、を備え、
該スラットの少なくとも１つであり該リンク部材に枢支されている開閉スラットが、隣接する該スラットとの間に間隙が形成されるスラット開位置と、隣接する該スラットと当接して該間隙が閉じるスラット閉位置と、の間で回動可能であり、
該シャッターカーテンが該カーテン閉位置に配されると隣接する該スラット同士が嵌合し、該シャッターカーテンが該カーテン閉位置から上動した距離が所定長さ以上になると該開閉スラットの該嵌合が外れるシャッター装置であって、
該スラットとは別体であり、該開閉スラットが回動する回動可能領域外である退避位置と、該回動可能領域内であるロック位置との間で回動可能なロック手段と、
該ロック手段に固着されている第１のロック部と、
該ガイド枠内に固着されている第２のロック部と、を有し、
該ロック手段が該退避位置から該ロック位置に回動すると、
該第１のロック部が該第２のロック部に近づき、該第１のロック部と該第２のロック部とが脱着可能に接合して、該ロック手段を該ロック位置にてロックし、
該ロック手段の少なくとも一部が該開閉スラットと該第１のロック部および該第２のロック部との間に介在し該開閉スラットの回動を規制して該開閉スラットの回動角を所定の範囲にてロックすることを特徴とするシャッター装置。
【請求項２】
前記ロック手段は、前記ロック位置において、前記回動可能領域内のなかで前記開閉スラットに当接する位置に固定され、前記開閉スラットを前記スラット閉位置にてロックする請求項１に記載のシャッター装置。
【請求項３】
前記ロック手段は、前記ロック位置において、前記回動可能領域のなかで前記開閉スラットの室内側に固定される請求項１に記載のシャッター装置。
【請求項４】
前記ロック手段は上下方向に延び、複数の前記開閉スラットの前記回動角を所定の範囲にてロックする請求項１に記載のシャッター装置。
【請求項５】
前記ロック手段は前記ガイド枠に枢支され、前記ガイド枠に対して回動して前記回動可能領域の内外に変位する請求項１に記載のシャッター装置。
【請求項６】
前記第１のロック部と前記第２のロック部との一方は磁石からなり、他方は強磁性体または磁石からなる請求項１に記載のシャッター装置。
【請求項７】
前記ロック手段は、前記ロック位置において、前記嵌合が外れた前記開閉スラットの前記回動可能領域内に固定されて、前記嵌合が外れた前記開閉スラットの回動角を所定の範囲にてロックする請求項１に記載のシャッター装置。
【請求項８】
前記ロック手段は、前記ロック位置において、前記嵌合が外れた前記開閉スラットを前記スラット閉位置にてロックする請求項７に記載のシャッター装置。
【発明の詳細な説明】
【技術分野】
【０００１】
本発明は、構造物に形成されている開口部を開閉するシャッター装置に関する。
【背景技術】
【０００２】
一般的なシャッター装置は、互いに連結されている複数のスラットが上下方向に配列してなるシャッターカーテンを持つ。シャッターカーテンが下動してカーテン閉位置に配されると、シャッターカーテンが構造物の開口部を閉じる。シャッターカーテンが上動してカーテン開位置に配されると、開口部が開かれる。近年では、シャッターカーテンで開口部を閉じているときにも、室内への採光や導風ができるシャッター装置が要求されている。一般には、シャッターカーテンを閉位置に配しているときに、一部（または全部）のスラットを回動させて隣接するスラット同士の間に間隙を形成し、この間隙を通じて室内への採光や導風をおこなっている。すなわち、一部または全部のスラットが回動可能になるようにシャッターカーテンを形成する。そしてスラットを、隣接するスラット同士の間に間隙が形成されるスラット開位置と、隣接するスラット同士が当接して間隙が閉じるスラット閉位置と、の間で回動させる。スラットをスラット開位置に配すると、シャッターカーテンがカーテン閉位置に配されているときでも、隣接するスラット同士の間隙を光や風が流通可能になる。よって室内への採光や導風が可能になる（例えば、特許文献１参照）。
【０００３】
ところで、特許文献１に提案されているシャッター装置において、スラット開位置に配されているスラットは、端部が室外に向かって下向する庇状をなす。したがって、室外から室内に入射する光はスラットによって遮られる。よって、特許文献１に紹介されているシャッター装置によると、充分な採光量を確保できない問題があった。
【０００４】
本願出願人は採光量を高め得るシャッター装置を出願した（特許文献２参照）。特許文献２におけるシャッターカーテンを側方から見た様子を模式的に表す説明図を図８に示す。図８（ａ）に示すように、シャッターカーテン１０１がカーテン閉位置に配されているときには、各スラット１１０はスラット閉位置に配され、かつ、隣接するスラット１１０同士が嵌合する。図８（ｂ）に示すように、シャッターカーテン１０１がカーテン閉位置に配されているときに、シャッターカーテン１０１を所定長さ上動させると、隣接するスラット１１０同士の嵌合は、シャッターカーテン１０１の上部から下部に向けて順次外れる。詳しくは、上側に位置するスラット１１０が上方に引っ張られることで、引っ張られたスラット１１０とその下方に隣接するスラット１１０との距離が開き、２つのスラット１１０同士の嵌合代が少なくなり、両者の嵌合が外れる。嵌合が外れたスラット１１０は回動可能になる。この状態でシャッターカーテン１０１をさらに上動させると、スラット１１０に形成されている係止ピン１６３がスラット回動手段（図略）と係止する。シャッターカーテン１０１をさらに上動させると、係止ピン１６３がスラット回動手段と係止した状態でスラット１１０が上昇して回動し、スラット１１０は図８（ｃ）に示すスラット開位置に配される。特許文献２のシャッター装置では、嵌合が外れたスラット１１０は種々の角度に回動可能になる。このため、シャッターカーテン１０１を大きく上動させてスラット１１０を大きく回動させれば、室外から室内に入射する光がスラット１１０に遮られることはない。以下、隣接するスラット１１０同士の嵌合を、単にスラットの嵌合と呼ぶ。
【０００５】
ところで、この種のシャッター装置において、シャッターカーテン１０１の上部に位置するスラット１１０ｘを回動させるためにシャッターカーテン１０１を所定長さ上動させると、回動させたいスラット１１０ｘよりも下方に配されている所定数のスラット１１０ｙもまた上方に引っ張られ、嵌合が外れる。嵌合が外れているスラットは回動可能な状態になる。このため、シャッターカーテンで開口を閉じかつスラット１１０ｘをスラット開位置に配しているときにシャッター装置が強風を受けると、スラット１１０ｙがばたつく場合があり、騒音が生じるおそれがあった。
【特許文献１】特開２００１−２７１５７４号公報
【特許文献２】特開２００５−６１１３８号公報
【発明の開示】
【発明が解決しようとする課題】
【０００６】
本発明は上記事情に鑑みて成されたものであり、シャッターカーテンで開口部を閉じているときにも室内への採光や導風ができ、かつ、スラットのばたつきを軽減できるシャッター装置を提供することを目的とする。
【課題を解決するための手段】
【０００７】
上記課題を解決する本発明のシャッター装置は、左右方向に延び互いに連結されている複数のスラットが上下方向に配列してなり構造物に形成されている開口部の上部に取り付けられるシャッターカーテンと、少なくとも一部のスラットを枢支して連結するリンク部材と、開口部を閉じるカーテン閉位置と開口部を開くカーテン開位置との間でシャッターカーテンを上下動させる開閉手段と、開口部に固定されシャッターカーテンの左右方向の少なくとも一方の端部をスライド可能に保持するガイド枠と、を備え、スラットの少なくとも１つでありリンク部材に枢支されている開閉スラットが、隣接するスラットとの間に間隙が形成されるスラット開位置と、隣接するスラットと当接して間隙が閉じるスラット閉位置と、の間で回動可能であり、シャッターカーテンがカーテン閉位置に配されると隣接するスラット同士が嵌合し、シャッターカーテンがカーテン閉位置から上動した距離が所定長さ以上になると開閉スラットの嵌合が外れるシャッター装置であって、スラットとは別体であり、開閉スラットが回動する回動可能領域外である退避位置と、回動可能領域内であるロック位置との間で回動可能なロック手段と、ロック手段に固着されている第１のロック部と、ガイド枠内に固着されている第２のロック部と、を有し、ロック手段が退避位置からロック位置に回動すると、第１のロック部が第２のロック部に近づき、第１のロック部と第２のロック部とが脱着可能に接合して、ロック手段をロック位置にてロックし、ロック手段の少なくとも一部が開閉スラットと第１のロック部および第２のロック部との間に介在し開閉スラットの回動を規制して開閉スラットの回動角を所定の範囲にてロックすることを特徴とする。
【０００８】
本発明のシャッター装置は、下記の構成（１）〜（７）の何れかを備えるのが好ましい。（１）〜（７）の複数を備えるのが望ましい。
（１）上記ロック手段は、上記ロック位置において、上記回動可能領域内のなかで上記開閉スラットに当接する位置に固定され、上記開閉スラットを上記スラット閉位置にてロックする。
（２）上記ロック手段は、上記ロック位置において、上記回動可能領域のなかで上記開閉スラットの室内側に固定される。
（３）上記ロック手段は上下方向に延び、複数の上記開閉スラットの上記回動角を所定の範囲にてロックする。
（４）上記ロック手段は上記ガイド枠に枢支され、上記ガイド枠に対して回動して上記回動可能領域の内外に変位する。
（５）上記第１のロック部と上記第２のロック部との一方は磁石からなり、他方は強磁性体または磁石からなる。
（６）上記ロック手段は、上記ロック位置において、上記嵌合が外れた上記開閉スラットの上記回動可能領域内に固定されて、上記嵌合が外れた上記開閉スラットの回動角を所定の範囲にてロックする。
（７）（６）の場合、上記ロック手段は、上記ロック位置において、上記嵌合が外れた上記開閉スラットを上記スラット閉位置にてロックする。
【発明の効果】
【０００９】
本発明のシャッター装置において、開閉スラットはスラット開位置とスラット閉位置との間で回動する。したがって、本発明のシャッター装置によると、シャッターカーテンで開口部を閉じているときにも、開閉スラットをスラット開位置に回動させれば、室内への採光や導風ができる。
【００１０】
また、本発明のシャッター装置は開閉スラットの回動を規制して開閉スラットの回動角を所定の範囲にてロックするロック手段を備える。したがって、開閉スラットの嵌合が外れた状態、すなわち、シャッターカーテンで開口を閉じかつ開閉スラットをスラット開位置に配しているときにシャッター装置が強風を受けた場合にも、ロック手段に規制されてスラットの回動角は所定の範囲にてロックされる。よって、本発明のシャッター装置では、スラットのばたつきを軽減できる。さらに、回動角が所定の範囲にてロックされることで、回動スラットは外れ難くなる。よって、本発明のシャッター装置は防犯性にも優れる。以下、シャッターカーテンが開口部を閉じ、かつ開閉スラットがスラット開位置に配されているときのシャッター装置を、半開状態と呼ぶ。
【００１１】
なお、本発明のシャッター装置では、シャッターカーテンがカーテン閉位置に配されるときには、スラットは嵌合する。したがって、シャッターカーテンがカーテン閉位置に配されているときには、スラットの嵌合によってスラットのばたつきが軽減される。
本発明のシャッター装置が上記構成（１）を備える場合には、開閉スラットがスラット閉位置にてロックされるため、スラットのばたつきをより軽減できる。
【００１２】
本発明のシャッター装置が上記構成（１）を備える場合には、開閉スラットがスラット閉位置にてロックされるため、スラットのばたつきをより軽減できる。
【００１３】
本発明のシャッター装置が上記構成（２）を備える場合には、ロック手段が開閉スラットの室内側に固定されるため、開閉スラットのロックが室外側から解除されない。したがって、シャッター装置の防犯性が向上する。
【００１４】
本発明のシャッター装置が上記構成（３）を備える場合には、１つのロック手段で複数の開閉スラットをロックできるため、シャッター装置を簡単な構造にできる。
【００１５】
本発明のシャッター装置は、ガイド枠によってもシャッターカーテンを固定してスラットのばたつきをさらに軽減できる。さらに、本発明のシャッター装置が上記構成（４）を備える場合には、ロック手段はガイド枠を介して開口部に固定される。このため、シャッター装置が強風を受けた場合にも、ロック手段がスラットを強固にロックできる。したがって、スラットのばたつきをより確実に軽減できる。
【００１６】
本発明のシャッター装置が上記構成（４）を備える場合には、ロック手段を簡単かつ堅牢な構造にできる。
【００１８】
本発明のシャッター装置が上記構成（５）を備える場合には、ロック手段を回動可能領域内に脱着可能に固定する機構を簡単かつ堅牢にできる。
【００１９】
本発明のシャッター装置では、シャッターカーテンがカーテン閉位置に配されているときに、ロック手段を回動可能領域内に固定しても良い。この場合には、スラットの嵌合とロック手段とによってスラットのばたつきがさらに軽減される。しかし、本発明のシャッター装置が上記構成（６）を備える場合には、シャッター装置を半開状態にしたとき（スラットがばたつき易いとき）に、スラットをロック手段でロックするため、スラットのばたつきをより効果的に軽減できる。
【００２０】
本発明のシャッター装置が上記構成（７）を備える場合には、シャッター装置を半開状態にしたときの、スラットのばたつきをさらに軽減できる。
【発明を実施するための最良の形態】
【００２１】
以下、本発明のシャッター装置の具体例を挙げ、本発明のシャッター装置を図面を基に説明する。
【実施例】
【００２２】
実施例のシャッター装置は、家屋の出入り口（開口部）に配設され、出入り口を開閉する。実施例のシャッター装置は、上記構成（２）〜（４）および（５）〜（６）を備える。実施例のシャッター装置を室外側から見た様子を模式的に表す正面図を図１に示す。実施例のシャッター装置におけるシャッターカーテンおよびリンク部材を模式的に表す要部拡大斜視図を図２に示す。実施例のシャッター装置におけるロック手段の動作を模式的に表す説明図を図３〜６に示す。詳しくは、実施例のシャッター装置におけるロック手段、スラット、およびガイド枠を図１における上方から見た様子を模式的に表す説明図を図３および５に示す。実施例のシャッター装置におけるロック手段、スラット、およびガイド枠を室内側から見た様子を模式的に表す斜視図を図４および６に示す。図３および４、図５および６は、それぞれ、同じ状態にあるロック手段、スラット、およびガイド枠を異なる角度から見た図である。実施例のシャッター装置におけるスラットの動作を模式的に表す説明図を図７に示す。以下、本実施例において上、下、左、右、室内側、室外側とは、図２に示す上、下、左、右、室内側、室外側を指す。
【００２３】
実施例のシャッター装置は、シャッターカーテン１と、リンク部材２と、開閉手段７と、ガイド枠３と、ロック手段４とを備える。
【００２４】
図１に示すように、シャッターカーテン１は、左右方向に延びる複数のスラット１０が上下方向に配列されてなる。実施例のシャッター装置では、各スラット１０は同形状である。実施例のシャッター装置では、全てのスラット１０が開閉スラットである。シャッターカーテン1の上方には、左右に延びる吊り元スラット（図略）が配されている。吊り元スラットは最上端に位置するスラット１０に連結されている。シャッターカーテン１の下方には、左右方向に延びる座板９が配されている。座板９は最下端に位置するスラット１０に連結されている。
【００２５】
各スラット１０および座板９の上端部には、図７に示すように、上方に突出する鉤状の上側嵌合部６０が形成されている。また、各スラット１０の下端部には下方に突出する鉤状の下側嵌合部６１が形成されている。上側嵌合部６０および下側嵌合部６１は各スラット１０の長手方向（左右方向）に沿って延在している。図１に示すように、シャッターカーテン１がカーテン閉位置に配されると、隣接するスラット１０同士は、上側に位置するスラット１０の下側嵌合部６１と、下側に位置するスラット１０（または座板９）の上側嵌合部６０とが嵌合する（図７（ａ））。このとき、各スラット１０はスラット閉位置に配される。各スラット１０は脱着可能に嵌合する。したがって、各スラット１０の嵌合はシャッターカーテン１を大きく上動させると外れ得る。
【００２６】
図２に示すように、各スラット１０には、左端から左方に突出する左軸部６２と、右端から右方に突出する右軸部（図略）とが形成されている。各スラット１０の左軸部６２は、それぞれ、短冊状をなす左側リンク体２０に回動可能に保持されている。各左側リンク体２０は、互いにスライド可能かつ揺動可能に連結されている。詳しくは、左側リンク体２０は、長手方向の一端部に長孔２１を持ち、左方に突起する連結ピン２２を他端部に持つ。最上端に位置するスラット１０が保持されている左側リンク体２０には、連結ピン２２にかえて貫通孔（図略）が形成されている。貫通孔は吊り元スラットに連結されている。吊り元スラットは後述する巻き取り軸７１に連結されている。下側に配されている左側リンク体２０の連結ピン２２は、上側に配されている左側リンク体２０の長孔２１に挿通されている。座板９には、左端から左方に突出する連結ピン２２（図略）が形成されている。座板９の連結ピン２２は、最下端に位置するスラット１０が保持されているリンク体の長孔２１に挿通されている。各スラット１０および座板９は、各左側リンク体２０が連結されてなる第１のリンク部材２に枢支され、連結されている。なお、図示しないが、各スラット１０の右軸部は、それぞれ、各左側リンク体２０と同形状の右側リンク体に回動可能に保持されている。各右側リンク体は、各左側リンク体２０と同様に連結されている。したがって、実施例のシャッター装置において、各スラット１０および座板９は、各右側リンク体が連結されてなる第２のリンク部材にも枢支され、連結されている。
【００２７】
開閉手段７は、シャッターカーテン１の上部に配置されている略箱状の格納ボックス７０と、格納ボックス７０の内部に配設されている柱状の巻き取り軸７１と、巻き取り軸７１の内部に配設されている電動モータ７２と、を備える。電動モータ７２は図略の電源から給電を受けて、巻き取り軸７１を回転駆動する。巻き取り軸７１には、吊り元スラットを介して最上端に位置する左側リンク体２０および右側リンク体が取り付けられている。巻き取り軸７１が正方向に回転するとシャッターカーテン１が巻き取られ、シャッターカーテン１が上動する。巻き取り軸７１が逆方向に回転すると巻き取られていたシャッターカーテン１が繰り出され、シャッターカーテン１が下動する。電動モータ７２には、図略のコントローラが接続されている。図示しないが、コントローラには、電動モータ７２を駆動してシャッターカーテン１を巻き取るための開操作ボタン、電動モータ７２を駆動してシャッターカーテン１を繰り出すための閉操作ボタン、電動モータ７２を停止してシャッターカーテン１の巻き取り動作や繰り出し動作を停止するための停止操作ボタン、および、シャッター装置を半開状態するための半開操作ボタンなどが設けられている。
【００２８】
図１に示すように、ガイド枠３は、上下に延びる一対の側ガイドレール３０が、左右に延びる１つの下ガイド３１で連結されてなる。各側ガイドレール３０は開口部の左右端部に１つずつ固着され上下に延びる。各側ガイドレール３０は、図３に示すように、他方の側ガイドレール３０に向けて開口するガイド溝３２を持つ。側ガイドレール３０は、各スラット１０の左右端部、第１のリンク部材２および第２のリンク部材を上下にスライド可能に保持する。
【００２９】
図３および４に示すように、左側の側ガイドレール３０には、ロック手段４が取り付けられている。ロック手段４は略柱状をなす。ロック手段４は蝶番状のヒンジ体３５を介して側ガイドレール３０に枢支されている。詳しくは、ヒンジ体３５は回動軸３６を挟んだ一端部３７が側ガイドレール３０の室内側面に固定されている。ロック手段４はヒンジ体３５の他端部３８に固定されている。ロック手段４はヒンジ体３５の他端部３８とともに、図３および４に示す退避位置と図５および６に示すロック位置との間で回動する。退避位置は後述する回動可能領域の外部であり、ロック位置は回動可能領域の内部である。ロック手段４はヒンジ体３５を中心にガイド枠３に対して回動する。ロック手段４およびヒンジ体３５は、上下方向に延びている。ロック手段４およびヒンジ体３５は、上から数えて４番目のスラット１０から最下端のスラット１０までの室内側に延在している。
【００３０】
ロック手段４の室外側面には、磁石からなる第１のロック部４５が固着されている。側ガイドレール３０の右側端面には、強磁性体（鉄）からなる第２のロック部３９が固着されている。第１のロック部４５と第２のロック部３９とは、ロック手段４がロック位置に配されると脱着可能に接合する。
【００３１】
実施例のシャッター装置は以下のように動作する。
【００３２】
コントローラの開操作ボタンを操作すると、電動モータ７２が駆動されシャッターカーテン１が巻き取られてカーテン開位置に配される。従って、このとき開口部が開かれる。コントローラの閉操作ボタンを操作すると、電動モータ７２が駆動されてシャッターカーテン１が繰り出されてカーテン閉位置に配される。従って、このときに開口部が閉じられる（図１）。
【００３３】
シャッター装置が図２および７（ａ）に示される状態のとき、すなわち、シャッターカーテン１がカーテン閉位置に配され、各スラット１０がスラット閉位置に配されているときに、コントローラの半開操作ボタンを操作すると、先ず、電動モータ７２が駆動する。電動モータ７２の駆動により、シャッターカーテン１が巻き取られて所定長さ上動する。このとき、シャッターカーテン１のスラット１０は上側に配されているものから順に上動し、上動したスラット１０と下方に隣接するスラット１０との嵌合が外れる（図７（ｂ））。嵌合が外れたスラット１０ｘ、１０ｙは回動可能になる。嵌合が外れていないスラット１０ｚは回動しない（図７（ｃ））。
【００３４】
実施例のシャッター装置には、公知の構造からなるスラット回動手段（図略）が配設されている。スラット回動手段は、上述した特許文献２に開示されているものに類する機構によりスラット１０を回動させる。スラット回動手段は、開閉手段７がカーテン閉位置に配されているシャッターカーテン１を所定長さ上動させたとき、すなわち、図７（ｂ）に示すように一部のスラット１０ｘ、１０ｙの嵌合が外れているときに、スラット１０ｘのみを回動させてスラット開位置に配する。実施例のシャッター装置では、上から数えて３つのスラット１０がスラット開位置に配される。したがって、実施例のシャッター装置は半開状態をとり得る。さらに、実施例のシャッター装置では、スラット回動手段は、開閉手段７がカーテン閉位置に配されているシャッターカーテン１を所定長さを超えて上動させたとき、すなわち、全てのスラット１０の嵌合が外れているときに、スラット１０を回動させる。したがって、実施例のシャッター装置は、シャッターカーテン１が開口部を閉じるとともに、全てのスラット１０がスラット開位置に配される全開状態をもとり得る。
【００３５】
ところで、図７ｃに示すように、スラット開位置に配されているスラット１０ｘに隣接した下方に配されているスラット１０ｙは、開閉スラットであり、かつ、嵌合が外れているために、スラット１０ｘと同様に回動可能である。
【００３６】
実施例のシャッター装置を図７（ｃ）に示す半開状態にしたときに、手動でロック手段４を図５、６に示すロック位置に回動させると、ロック手段４の第１のロック部４５と側ガイドレール３０の第２のロック部３９とが接合する。したがってロック手段４は、スラット１０ｙおよびスラット１０ｚの回動可能領域Ａの内部に脱着可能に固定される。このため、嵌合が外れ回動可能になっているスラット１０ｙの回動は、ロック手段４に干渉される。よって、スラット１０ｙの回動角は、図７（ｃ）に示すように所定の範囲（θ１およびθ２）にロックされる。よって、実施例のシャッター装置は、半開状態で強風を受けた場合にも、スラットのばたつきが軽減される。
【００３７】
なお、実施例のシャッター装置において、ロック位置に配されているロック手段４は、スラット１０ｙに当接していないが、スラット１０ｙに非常に近接した位置に配されている。したがって、ロック手段４はスラット１０ｙの回動を僅かに許容するが、スラット１０ｙの回動角を充分に小さな範囲にロックする。よって、実施例のシャッター装置におけるスラット１０のばたつきは充分に軽減される。ロック位置において、ロック手段４がスラット１０ｙに当接する場合には、スラット１０ｙをスラット閉位置にロックし得る。よって、この場合には、スラット１０のばたつきをさらに軽減できる。
【００３８】
なお、実施例のシャッター装置を上述した全開状態にする場合には、手動でロック手段４をロック位置から退避位置に回動させれば、ロック手段がスラット１０ｙおよび１０ｚの回動可能領域外に移動するため、スラット１０ｙおよび１０ｚが回動可能になる。
【００３９】
実施例のシャッター装置では、ロック手段４を側ガイドレール３０に固着しているが、例えば、ロック手段４を開口部の周縁に直接取り付けても良い。ロック手段４が回動可能領域の内外を移動する方法は、回動やスライドに限らない。例えば、ロック手段４をガイド枠３の何れかの部分に脱着可能に取り付けても良い。この場合には、ロック手段４をガイド枠３に取り付けて回動可能領域内に移動させ、ロック手段４をガイド枠３から取り外して回動可能領域外に移動させればよい。
【００４０】
実施例のシャッター装置では、開閉手段７によってシャッターカーテン１を巻き取って上動させ、繰り出して下動させているが、例えば、シャッターカーテン１を上下にスライド移動させる開閉手段を用いても良い。
【００４１】
第１のロック部および第２のロック部としては、既知の嵌合構造や螺合構造などからなるものを用いても良い。
【００４２】
なお、本発明のシャッター装置におけるロック手段４は、引用文献２に開示されているものに類する従来のシャッター装置に取り付けることができる。すなわち、本発明のシャッター装置におけるロック手段４を従来のシャッター装置に取り付けると、スラット１０のばたつきを軽減しつつシャッター装置を半開状態にできる。
【図面の簡単な説明】
【００４３】
【図１】実施例のシャッター装置を室外側から見た様子を模式的に表す正面図である。
【図２】実施例のシャッター装置におけるシャッターカーテンおよびリンク部材を模式的に表す要部拡大斜視図である。
【図３】実施例のシャッター装置におけるロック手段の動作を模式的に表す説明図である。
【図４】実施例のシャッター装置におけるロック手段の動作を模式的に表す説明図である。
【図５】実施例のシャッター装置におけるロック手段の動作を模式的に表す説明図である。
【図６】実施例のシャッター装置におけるロック手段の動作を模式的に表す説明図である。
【図７】実施例のシャッター装置におけるスラットの動作を模式的に表す説明図である。
【図８】従来のシャッター装置におけるシャッターカーテンを側方から見た様子を模式的に表す説明図である。
【符号の説明】
【００４４】
１：シャッターカーテン、２：リンク部材（左側リンク部材）、３：ガイド枠、７：開閉手段、４：ロック手段、１０：スラット（開閉スラット）、Ａ：回動可能領域、θ１、θ２：スラットの回動角
【図１】
0004821283.tif 000002
【図２】
0004821283.tif 000003
【図３】
0004821283.tif 000004
【図４】
0004821283.tif 000005
【図５】
0004821283.tif 000006
【図６】
0004821283.tif 000007
【図７】
0004821283.tif 000008
【図８】
0004821283.tif 000009